(57)【要約】      （修正有）【課題】塗料の塗布作業において、面倒な作業を回避できるマスキングテープ部材を提供する。【解決手段】裏面に第１の接着層を有する第１のテープ１と、裏面に第２の接着層を有する第２のテープ２とを備え、第１のテープ１の表面の上端縁側に、第２のテープ２の裏面の下端縁側が重ねて接着され、第１のテープ１の裏面の下端縁には、プラスチックシート３の上端縁が接着され、第１のテープ１と第２のテープ２とプラスチックシート３は重ねられた状態でロール状に巻かれている。【選択図】図１
0003168098.tif 000002
【実用新案登録請求の範囲】
【請求項１】
裏面に第１の接着層を有する第１のテープと、
裏面に第２の接着層を有する第２のテープとを備え、
前記第１のテープの表面の上端縁側に、前記第２のテープの裏面の下端縁側が重ねて接着されており、
前記第１のテープと前記第２のテープは重ねられた状態でロール状に巻かれていることを特徴とする、マスキングテープ部材。
【請求項２】
前記第１のテープの裏面の下端縁には、プラスチックシートの上端縁が接着され、前記第１のテープと第２のテープとともに重ねられた状態でロール状にまかれていることを特徴とする、請求項１記載のマスキングテープ部材。
【考案の詳細な説明】
【技術分野】
【０００１】
本考案は、建築現場の塗装などで用いられるマスキングテープ部材に関するものである。
【背景技術】
【０００２】
建築現場では、壁などに塗装する際、塗料を塗布したくない部分を高密度ポリエチレン等のプラスチックシートで覆い、塗装したい部分だけ塗装することが行われている。
【０００３】
その一例として、いわゆる養生用マスカーテープと呼ばれるテープが知られている。このマスカーテープは、２５ｍくらいの長い高密度ポリエチレンシートの上端縁に、２５ｍくらいの長い、裏面に接着層を有する、帯状布テープの下端縁を貼り付け、それをロール状に巻き取った製品である。
【０００４】
塗装作業の場合、このロール状のマスカーテープを建築現場に持ち込み、塗布をしようとする壁に、上記帯状布テープをポリエチレンシートとともに、ロールをほどきながら、貼り付け、その後、別に用意しておいた、裏面に接着層を有する帯状の重ね用テープを、その貼り付けられている布テープと上記壁との境界部分を覆うように、貼り付け、その後塗装を行っている（特許文献１参照）。
【先行技術文献】
【特許文献】
【０００５】
【特許文献１】特開２００３−１３８６６１
【考案の概要】
【考案が解決しようとする課題】
【０００６】
しかしながら、そのような塗布方法には面倒な工程が存在する。すなわち、上述したように、塗布をしようとする壁に、上記帯状布テープをポリエチレンシートとともに、ほどきながら、貼り付ける工程の他に、その後、別に用意しておいた、裏面に接着層を有する帯状の重ね用テープを、その貼り付けられている布テープと上記壁との境界部分を覆うように、貼り付けるという、別の工程が存在する。
【０００７】
従って、塗布作業に面倒な手間がかかるという課題があった。
【０００８】
そこで、本考案は、そのような面倒な作業を回避できる、マスキングテープ部材を提供することを目的とする。
【課題を解決するための手段】
【０００９】
本考案は、上記課題を解決するため、次のような構成を採用した。すなわち、
第１の考案は、裏面に第１の接着層を有する第１のテープと、
裏面に第２の接着層を有する第２のテープとを備え、
前記第１のテープの表面の上端縁側に、前記第２のテープの裏面の下端縁側が重ねて接着されており、
前記第１のテープと前記第２のテープは重ねられた状態でロール状に巻かれていることを特徴とする、マスキングテープ部材である。
【００１０】
これによって、第１のテープを貼り付ける工程の他に、その後の第２のテープを貼り付ける工程を必要としない長所を奏する。
【００１１】
第２の考案は、第１の考案のマスキングテープ部材の、前記第１のテープの裏面の下端縁には、プラスチックシートの上端縁が接着され、前記第１のテープと第２のテープとともに重ねられた状態でロール状にまかれていることを特徴とする、マスキングテープ部材である。
【００１２】
これによって、第１の考案の場合は、先にプラスチックシートを壁に貼り付けるという工程が必要だったが、第２の考案では、そのような作業は不必要になり、全て一つの貼り付け工程ですむという長所を奏する。
【考案の効果】
【００１３】
本考案に係るマスキングテープ部材は、塗布作業における面倒な作業を回避できる、マスキングテープ部材を提供することを目的とする。
【図面の簡単な説明】
【００１４】
【図１】本考案にかかる実施の形態１を示す斜視図同実施の形態１の展開状態における、一部断面拡大斜視図である。
【図２】同実施の形態１の展開状態における、一部断面拡大斜視図
【図３】本考案にかかる実施の形態２を示す斜視図
【図４】同実施の形態２の一部断面拡大斜視図
【考案を実施するための形態】
【００１５】
以下に本考案の実施の形態を、図面を参照して説明する。
（実施の形態１）
図１は、本考案にかかる実施の形態１を示す斜視図であり、図２は、同実施の形態１の展開状態における、一部断面拡大斜視図である。
【００１６】
第１のテープ１の裏面１ａには第１の接着層（図示省略）が形成されている。また、第２のテープ２の裏面２ａにも第２の接着層（図示省略）が形成されている。
【００１７】
この第１のテープ１の表面１ｃの上端縁１ｂ側に、第２のテープ２の裏面２ａの下端縁２ｂ側が重ねて接着されている。
【００１８】
さらに、第１のテープ１の裏面１ａの下端縁１ｄ側には、プラスチックシート３の上端縁３ａが重ねられて接着している。
【００１９】
図２に示す、このような重ね合わせ接着の状態で、図１のように巻き芯４の上に巻き取られている。
【００２０】
このマスキングテープ部材を、建設現場で用いる場合次のとおりである。
【００２１】
第１のテープ１と第２のテープ２とプラスチックシート３が接着されて一体となっているので、塗料を塗る対象の壁の位置に、テープの一端を貼り付け、巻き芯４からほどいきながら、次々と壁に貼り付けていく。
【００２２】
希望の場所に張り終わると、指などで引き裂くことで、貼り付けは終わる。
【００２３】
その後、塗料を壁に塗布すればよい。すなわち、本考案のマスキングテープ部材を用いることにより、マスキング作業は一工程ですみ、非常に楽な作業となる。
【００２４】
（実施の形態２）
図３は、本考案にかかる実施の形態２を示す斜視図であり、図４は、同実施の形態２の一部断面拡大斜視図である。
【００２５】
本実施の形態２と実施の形態１との差異は、プラスチックシート３を有しない点である。
【００２６】
すなわち、第１のテープ１０の裏面１０ａには第１の接着層（図示省略）が形成されている。また、第２のテープ２０の裏面２０ａにも第２の接着層（図示省略）が形成されている。
【００２７】
この第１のテープ１０の表面１０ｃの上端縁１０ｂ側に、第２のテープ２０の裏面２０ａの下端縁２０ｂ側が重ねて接着されている。
【００２８】
図４に示す、このような重ね合わせ接着の状態で、図３のように巻き芯４０の上に巻き取られている。
【００２９】
このマスキングテープ部材を、建設現場で用いる場合次のとおりである。
【００３０】
先に、ポリエチレンフィルムなどのプラスチックシートを、塗料を塗る壁にピンなどで固定し、そのシートと壁の境界線上に、第１のテープ１０と第２のテープ２０とが接着されて一体となったこのマスキングテープ部材の一端を貼り付け、巻き芯４０からほどいきながら、次々と壁に貼り付けていく。
【００３１】
希望の場所に張り終わると、指などで引き裂くことで、貼り付けは終わる。
【００３２】
その後、塗料を壁に塗布すればよい。すなわち、本考案のマスキングテープ部材を用いることにより、マスキング作業は二つの工程ですみ、非常に楽な作業となる。
【００３３】
なお、本考案において、第１のテープの素材は布、紙、プラスチックなど任意の材料を選べる。また、プラスチックシートはポリエチレンフィルムに限らず、ビニールなど他のプラスチック材料でもかまわない。
【産業上の利用可能性】
【００３４】
本考案のマスキングテープ部材は、塗料を塗布する場合などの作業を楽にできる長所を有するので、建築現場などでの塗布作業に有用である。
【符号の説明】
【００３５】
１、１０  第１のテープ
２、２０  第２のテープ
３  プラスチックシート
４、４０  巻き芯 
【図１】
0003168098.tif 000003
【図２】
0003168098.tif 000004
【図３】
0003168098.tif 000005
【図４】
0003168098.tif 000006